(57)【要約】【課題】光ディスクユニットをカバーするカバー部材を筐体に形成された貫通孔を貫通させて取り付けることができる液晶表示装置であって、製造誤差や変形等が発生した場合であっても、前記カバー部材にがたつき等の不具合が発生することなく取り付ける。【解決手段】ボス孔２３５は長尺状の貫通孔であり、対向する一対の第１内壁面２３５１と、第１内壁面２３５１と直交する第２内壁面２３５２と、第１内壁面２３５１と直交し第２内壁面２３５２と対向する第３内壁面２３５３とを有している。第３内壁面２３５３の中央にはボス孔２３５の深さ方向に延びる凸部２３５４が形成されている。凸部２３５４は第３内壁面２３５３と一体に形成されている。【選択図】図６
2008198246.tif 000002
【特許請求の範囲】
【請求項１】
前面に液晶パネルを有する液晶表示ユニットと、
ＤＶＤ記録媒体の記録／再生を行うＤＶＤユニットと、
フロントキャビネットと、前記フロントキャビネットの背面側に取り付けられたリヤキャビネットとを備え、前記液晶表示ユニット及び前記ＤＶＤユニットが内蔵されている本体部と、
前記本体部を支持するスタンド部とを有する液晶テレビであって、
前記リヤキャビネットは矩形状の貫通孔と、一部が前記貫通孔を貫通し内部に前記ＤＶＤユニットが配置された箱状のＤＶＤカバー部材と、前記貫通孔の各辺の辺縁部近傍より前記本体部の内側に立設された複数個の係合ボスとを有しており、
前記ＤＶＤカバー部材は、矩形状の底面部と、前記底面部の辺縁部より一体立設された側壁部と、前記側壁部の端部より前記底面部と平行に外側に延びる係合リブと、前記側壁部の一部に形成され、ＤＶＤ記録媒体が通過するスリットとを有しており、
前記係合リブには、該係合リブを貫通する断面矩形状のボス孔が形成されており、前記ボス孔には互いに対向する一対の第１内壁面と、前記一対の第１内壁面のそれぞれと直交する第２内壁面と、前記一対の第１内壁面のそれぞれと直交するとともに、中央部に前記ボス孔の深さ方向に延びる凸条が一体的に突出された第３内壁面とを有しており、
前記ＤＶＤカバー部材は前記底面部及び前記側壁部が前記リヤキャビネットの貫通孔を貫通しているとともに前記係合リブが前記貫通孔の前記辺縁部と当接しており、前記係合ボスが前記ボス孔を貫通することで固定されていることを特徴とする液晶テレビ。
【請求項２】
液晶表示ユニットと、
光ディスクユニットと、
背面側に配置されたリヤキャビネットを備え、前記液晶表示ユニット及び前記光ディスクユニットが内蔵されている本体部とを有する液晶表示装置であって、
前記リヤキャビネットは貫通孔と、一部が前記貫通孔を貫通し、内部に前記光ディスクユニットが配置された箱状のカバー部材と、前記貫通孔の辺縁部より前記本体部の内側に立設された複数個の係合ボスとを有しており、
前記ＤＶＤカバー部材は、矩形状の底面部と、前記底面部の辺縁部より一体立設された側壁部と、前記側壁部の端部より前記底面部と平行に外側に延びる係合リブと、前記側壁部の一部に形成され、ＤＶＤ記録媒体が通過するスリットとを有しており、
前記係合リブには、該係合リブを貫通する断面矩形状のボス孔が複数個形成されており、前記ボス孔の少なくとも一つの内壁面には、前記ボス孔の内側に突出する凸条が備えられており、
前記ＤＶＤカバー部材は前記側壁部と前記底面部が前記リヤキャビネットの貫通孔を貫通しつつ、前記係合リブが前記貫通孔の前記辺縁部と当接するとともに、前記係合ボスが前記ボス孔を貫通することで固定されていることを特徴とする液晶表示装置。
【請求項３】
前記凸部は前記ボス孔の深さ方向に延びる形状を有していることを特徴とする請求項２に記載の液晶表示装置。
【請求項４】
前記凸部が柱状部材であることを特徴とする請求項２に記載の液晶表示装置。
【請求項５】
前記凸部が一つの内壁面に形成されていることを特徴とする請求項２から請求項４のいずれかに記載の液晶表示装置。
【請求項６】
前記凸部が異なる複数の壁面に１個ずつ形成されていることを特徴する請求項２から請求項４のいずれかに記載の液晶表示装置。
【請求項７】
前記凸部が同一の内壁面に複数個ずつ形成されていることを特徴とする請求項２から請求項３のいずれかに記載の液晶表示装置。
【請求項８】
前記側壁部の一部は前記リヤキャビネットの外装形状に合わせて曲面上に切り取られた形状を備えていることを特徴とする請求項２から請求項７のいずれかに記載の液晶表示装置。
【発明の詳細な説明】
【技術分野】
【０００１】
本発明はＤＶＤ等の光ディスクメディアの記録／再生を行うことができる光ディスクユニットが内蔵された液晶テレビ及び液晶表示装置に関するものである。
【背景技術】
【０００２】
近年、テレビ受像機として液晶テレビが急増している。前記液晶テレビは映像を表示する液晶パネルと、前記液晶表示パネルの背面より光を照射するバックライトを備えている。バックライトより出射された光が液晶パネルにて透過又は遮断されることで、液晶パネルの正面側に画像が形成されるものである。前記液晶テレビは薄型であるという利点を有しており、狭い場所にでも接地することができるメリットがある。
【０００３】
また、記録媒体としてＤＶＤ等の光ディスクを用いた光ディスク装置が多く用いられている。前記光ディスク装置では、再生専用の光ディスクメディアの再生、書き込み可能な光ディスクメディアの記録／再生等が行われる。前記光ディスク装置は前記液晶テレビにケーブル等を介して接続されるものであり、前記液晶テレビの近くに設置される。
【０００４】
前記光ディスク装置は奥行きがあるものが多い。前記光ディスク装置を前記液晶テレビの近くに置く場合、前記光ディスク装置の奥行きにあわせて、前記光ディスク装置及び前記液晶テレビを設置する設置場所（たとえば、設置台）の奥行きを大きくしなくてはならず、前記液晶テレビの薄型であるとの利点を生かすことが難しい。
【０００５】
そこで、前記液晶テレビの背面にＤＶＤメディアの記録／再生を行うことができる光ディスクユニットを内蔵させた液晶テレビが登場している。前記ＤＶＤディスクユニットが内蔵されているものの場合、光ディスク装置の置き場所の自由度が高く、前記液晶テレビの薄型である利点を生かして、小さな設置場所に設置することが可能となる。
【０００６】
前記光ディスクユニットは前記液晶テレビの背面側に配置されるものが多い。しかしながら、前記液晶テレビの筐体に光ディスクユニットを設置するスペースを形成するのは難しく、前記液晶テレビの筐体の背面に少なくとも一面が解放されたカバー部材を取り付け、前記カバー部材の内部に光ディスクユニットを設置するように形成している。
【０００７】
前記カバー部材は一面が解放された箱体で形成されており、側壁部の先端には外部に屈曲したリブが形成されている。前記筐体には前記カバー部材が貫通するための貫通孔が形成されており、前記カバー部材は前記貫通孔に側壁部が当接することで筐体に双方向の動きが制限されているとともに、前記リブが前記貫通孔の端部と当接することで前記カバー部材が前記筐体の外側に脱落するのを抑制している。
【０００８】
このように、前記カバー部材を用いることで、従来の液晶テレビの筐体に小変更を加えるだけで、前記光ディスクユニットを内蔵させることができ、新たに筐体より設計する場合に比べて、開発費を大幅に削減することが可能である。
【０００９】
しかしながら、前記カバー部材は前記筐体とは別部材であり、がたつきが出てしまうことがあり、不快な音が発生したり、取付が不十分で、前記光ディスクユニットの動作が不安定になったりする不具合が発生することがある。
【００１０】
このような不具合の発生を抑制するには、前記カバー部材を前記筐体の背面にしっかりと取り付ければよい。このような箱型のカバー部材のがたつきを抑制するものとして、前記筐体の前記貫通孔の周縁部より筐体内部側に立設されたボスを形成し、前記カバー部材の前記リブのボス孔を形成し前記ボスを前記ボス孔に貫通させることで前記不具合の発生を抑制することができる。
【００１１】
また、特開平８−２４２０８４号公報に記載の発明では、ベースの立設されている側面に角孔が形成されているとともに、前記ベースに配置されるカバーの側面に係合用の爪が形成されており、前記カバーを前記ベースにかぶせた状態で、前記係合用の爪を折り曲げて、前記角孔に押し込んで、前記カバーと前記ベースとを固定している。
【特許文献１】特開平８−２４２０８４号公報
【発明の開示】
【発明が解決しようとする課題】
【００１２】
しかしながら、前記カバー部材のリブにボス孔を設け前記筐体の貫通孔の周縁部にボスを立設させるものの場合、製造時等に発生する前記ボス及び（又は）前記ボス孔の誤差によって、係合がゆるかったり、前記ボスを前記ボス孔に挿入することができなかったりする場合があり、誤差により発生するがたつきを抑えることが難しい。
【００１３】
特開平８−２４２０８４号公報に記載の発明でも同様に、角孔と係合用の爪の位置がずれてしまい、前記爪を前記角孔に確実に押し込み、前記カバーと前記ベースとを確実に固定することができないことも考えられる。
【００１４】
そこで本発明は、光ディスクユニットをカバーするカバー部材を備え、製造誤差や変形等が発生した場合であっても、前記カバー部材にがたつき等の不具合が発生することなく取り付けることができる液晶表示装置を提供することを目的とする。
【課題を解決するための手段】
【００１５】
上記目的を達成するために本発明は、液晶表示ユニットと、光ディスクユニットと、背面側に配置されたリヤキャビネットを備え、前記液晶表示ユニット及び前記光ディスクユニットが内蔵されている本体部とを有する液晶表示装置であって、前記リヤキャビネットは貫通孔と、前記貫通孔を貫通する箱状のＤＶＤカバー部材と、前記貫通孔の辺縁部より前記本体部の内側に立設された複数個の係合ボスとを有しており、前記ＤＶＤカバー部材は、矩形状の底面部と、前記底面部の辺縁部より一体立設された側壁部と、前記側壁部の端部より前記底面部と平行に外側に延びる係合リブと、前記側壁部の一部に形成され、ＤＶＤ記録媒体が通過するスリットとを有しており、前記係合リブには、該係合リブを貫通する断面矩形状のボス孔が形成されており、前記ボス孔の少なくとも一つの内壁面には、前記ボス孔の内側に突出する凸状が備えられており、前記ＤＶＤカバー部材が前記リヤキャビネットの貫通孔を貫通しているともに、前記係合ボスが前記ボス孔を貫通しており、前記底面部と前記側壁部とで前記ＤＶＤユニットを覆っていることを特徴とする。
【００１６】
この構成によると、従来の液晶表示装置から大幅な設計変更を行うことなく、ＤＶＤユニットを内蔵させることができる。このＤＶＤユニットを内蔵させるときに取り付けられるＤＶＤカバー部材のがたつきを防ぐことができ、それだけ、品質の高い液晶表示装置を提供することができる。
【００１７】
上記構成において、前記凸部は前記ボス孔の深さ方向に延びる形状を有していてもよく、柱状部材であってもよい。また、前記凸部が一つの内壁面に形成されているものであってもよく、異なる複数の壁面に１個ずつ形成されているものであってもよく、同一の内壁面に複数個ずつ形成されているものであってもよい。
【００１８】
本発明にかかる液晶表示装置の一例として以下の構成の液晶テレビを上げることができる。前面に液晶パネルを有する液晶表示ユニットと、ＤＶＤ記録媒体の記録／再生を行うＤＶＤユニットと、フロントキャビネットと、前記フロントキャビネットの背面側に取り付けられたリヤキャビネットとを備え、前記液晶表示ユニット及び前記ＤＶＤユニットが内蔵されている本体部と、前記本体部を支持するスタンド部とを有する液晶テレビであって、前記リヤキャビネットは矩形状の貫通孔と、前記貫通孔を貫通する箱状のＤＶＤカバー部材と、前記貫通孔の各辺の縁部中央に前記本体部の内側に立設された複数個の係合ボスとを有しており、前記ＤＶＤカバー部材は、矩形状の底面部と、前記底面部の辺縁部より一体立設された側壁部と、前記側壁部の端部より前記底面部と平行に外側に延びる係合リブと、前記側壁部の一部に形成され、ＤＶＤ記録媒体が通過するスリットとを有しており、前記係合リブには、該係合リブを貫通する断面矩形状のボス孔が形成されており、前記ボス孔には互いに対向する一対の第１内壁面と、前記一対の第１内壁面のそれぞれと直交する第２内壁面と、前記一対の第１内壁面のそれぞれと直交するとともに、中央部に前記ボス孔の深さ方向に延びる凸状が一体的に突出された第３内壁面とを有しており、前記ＤＶＤカバー部材が前記リヤキャビネットの貫通孔を貫通しているともに、前記係合ボスが前記ボス孔を貫通しており、前記底面部と前記側壁部とで前記ＤＶＤユニットを覆っている。
【発明の効果】
【００１９】
本発明によると、光ディスクユニットをカバーするカバー部材を備え、製造誤差や変形等が発生した場合であっても、前記カバー部材にがたつき等の不具合が発生することなく取り付けることができる液晶表示装置を提供することができる。
【発明を実施するための最良の形態】
【００２０】
以下に本発明の実施形態を図面を参照して説明する。図１は本発明にかかる薄型表示装置である液晶テレビの斜視図であり、図２は図１に示す液晶テレビの側面図であり、図３は本発明にかかる液晶テレビの背面図であり、図４は図１に示す液晶テレビのＤＶＤカバー部材が取り付けられている状態の断面図であり、図５は図１に示す液晶テレビの係合ボス及びボス孔の拡大断面図であり、図６は図１に示す液晶テレビの係合ボス及びボス孔の拡大背面図である。図１に示す液晶テレビＡは、少なくとも液晶表示パネル１と、液晶パネル１を内蔵する本体部２と、スタンド部３と、ＤＶＤユニット４とを有している。
【００２１】
液晶表示パネル１は、少なくとも透明電極が配置され、対抗して配置された一対のガラス基板の間に液晶が封入されている液晶セル、液晶セルの透明電極に電力を供給する基板と、バックライト等を備えた薄型の表示パネルである。
【００２２】
本体部２は、フロントキャビネット２１と、リヤキャビネット２２と、ＤＶＤカバー部材２３とを有している。本体部２は内部に液晶表示パネル１が備えられており、フロントキャビネット２１には内部に配置された液晶表示パネル１の画像を外部に向けて表示する開口部２１１が形成されている。液晶表示パネル１は、画像が開口部２１１より外部に見えるように、フロントキャビネット２１に取り付けられている。リヤキャビネット２２はフロントキャビネット２１とで液晶表示パネル１を挟むように、フロントキャビネット２１の後背に取り付け固定される。
【００２３】
図１、図２に示すように、スタンド部３は、少なくとも、台座部３１と、支持脚部３２とを有している。台座部３１はそれには限定されないが、平板上の部材であり、液晶テレビＡをテーブルや設置台に設置するときの台座である。台座部３１は、対向するように形成された一対の取付凸部３１１を備えている。取付凸部３１１に、支持脚部３２を回動可能に取り付けることで、取付凸部３１１を中心に液晶テレビＡを前後方向に傾倒させることができる。
【００２４】
ＤＶＤカバー部材２３の内部にはＤＶＤユニット４が配置されている。ＤＶＤユニット４はそれには限定されないがここでは、ＤＶＤメディアをそのまま挿入するスロットインである。ＤＶＤユニット４は予め記録されているＤＶＤメディアを再生する機能と、ＤＶＤメディアに記録する機能とを有する、記録／再生装置である。
【００２５】
図３に示すように、リヤキャビネット２２の背面には矩形状の貫通孔２２１が形成されている。貫通孔２２１にはリヤキャビネット２２の内側からＤＶＤカバー部材２３が貫通されて配置されている。貫通孔２２１の辺縁部の中央には係合ボス２２２が内部に向けて立設されている。係合ボス２２２は辺縁部に沿う方向に延びる直方体形状を有している。
【００２６】
図３、図４に示すようにＤＶＤカバー部材２３は、矩形状の底面部２３１と、底面部２３１の四辺より立設された側壁部２３２と、側壁部２３２の端部に底面部２３１と平行に外部に立設されたストッパリブ２３３と、側壁部２３２に形成され、ＤＶＤユニット４にＤＶＤメディアを入れるためのスリット２３４とが形成されている。ストッパリブ２３３の中央には長手方向に延びるボス孔２３５が形成されている。
【００２７】
また、図５、６に示すようにボス孔２３５は長尺状の貫通孔であり、対向する一対の第１内壁面２３５１と、第１内壁面２３５１と直交する第２内壁面２３５２と、第１内壁面２３５１と直交し第２内壁面２３５２と対向する第３内壁面２３５３とを有している。第３内壁面２３５３の中央にはボス孔２３５の深さ方向に延びる凸部２３５４が形成されている。凸部２３５４は第３内壁面２３５３と一体に形成されている。
【００２８】
液晶テレビＡではリヤキャビネット２２の貫通孔２２１の内側よりＤＶＤカバー部材２３が挿入される。ＤＶＤカバー部材２３は底面部２３１がリヤキャビネット２２の背面と平行になるように挿入される。このとき、側壁部２３２に形成されたスリット２３４が液晶テレビＡの正面から見て左側に来るように、取り付けられる。なお、このスリット２３４は常に正面から見て左側に来るように配置されるものではなく、液晶テレビＡの左側或いは右側よりＤＶＤメディアを挿入することができるものであればよい。すなわち、ＤＶＤユニット４の取付位置によって変わる。
【００２９】
ＤＶＤカバー部材２３はストッパリブ２３３がリヤキャビネット２２の内面側に当接させて外部に抜けないようにしている。このとき、貫通孔２２１の辺縁部に形成された係合ボス２２２がストッパリブ２３３に形成されたボス孔２３５に貫通するように配置される。図６に示すように、係合ボス２２２がボス孔２３５の第２内壁面２３５２と凸部２３５４とで挟まれることで、正確に位置決めされる。なお、係合ボス２２２と凸部２３５４とが強く接触してしまう場合、凸部２３５４を削って取り付けることで、取り付けにくさを解消することができるとともに、取り付け位置精度を低下させることなく係合ボス２２２或いは凸部２３５４に作用するストレスを低減することができる。これにより、変形や製造誤差によるがたつきや取付不良といった不具合の発生を低減することができる。
【００３０】
液晶表示パネル１及びＤＶＤユニット４が取り付けられたフロントキャビネット２１に予めＤＶＤカバー部材２３が取り付けられたリヤキャビネット２２を取り付ける。その後図示を省略したボルトにてねじ止めすることで、本体部２が完成する。このとき、本体部２の内部にはブラケット２４が取付固定されている。
【００３１】
本体部２をスタンド部３に取り付けるときは、本体部２の下部に形成された開口に支持脚部３２が挿入される。このとき、本体部内部に予め固定されたブラケット２４が支持脚部３２と重なる位置まで本体部２移動させ、リヤキャビネット２２に形成されているボルト孔２２３よりボルトＢｔを挿入するとともに、支持脚部４３とブラケット２４とを共締めすることで、本体部２をスタンド部３に取り付けることができる。
【００３２】
上記実施例において、ボス孔２３５として凸部２３５４が１つ形成されているものを例に説明しているが、それに限定されるものではなく、図７（Ａ）に示すように複数個の凸部２３５５が並んで配置されているものであってもよい。また、図７（Ｂ）や図７（Ｃ）に示すように断面円柱形状の柱状部材２３６或いは断面矩形の柱状部材２３７が複数個突出しているものであってもよい。これらの凸部は切削することで容易にボス孔２３５の幅を変更することができる。またこれらの形状に限定されるものではなく、係合ボス２２２の側面と接触することでＤＶＤカバー部材２３のがたつきを抑制することができる形状のものを広く採用することが可能である。また、ＤＶＤカバー部材２３の側壁部２３２がリヤキャビネット２２の形状にあわせて曲面形状に切り取られていてもよい。
【００３３】
以上、発明の実施形態を具体的に説明したが、本発明は上記実施形態に限定するものではなく、その要旨を逸脱しない範囲で種々変更可能である。
【産業上の利用可能性】
【００３４】
本発明は、液晶表示装置に採用することが可能である。
【図面の簡単な説明】
【００３５】
【図１】本発明にかかる薄型表示装置である液晶テレビの斜視図である。
【図２】図１に示す液晶テレビの側面図である。
【図３】本発明にかかる液晶テレビの背面図である。
【図４】図１に示す液晶テレビのＤＶＤカバー部材が取り付けられている状態の断面図である。
【図５】図１に示す液晶テレビの係合ボス及びボス孔の拡大断面図である。
【図６】図１に示す液晶テレビの係合ボス及びボス孔の拡大背面図である。
【図７】ボス孔の他の例を示す断面図である。
【符号の説明】
【００３６】
１  液晶表示パネル
２  本体部
２１  フロントキャビネット
２２  リヤキャビネット
２２２  係合ボス
２３  ＤＶＤカバー部材
２３１  底面部
２３２  側壁部
２３３  ストッパリブ
２３４  スリット
２３５  ボス孔
３  スタンド
４  ＤＶＤユニット
【図１】
2008198246.tif 000003
【図２】
2008198246.tif 000004
【図３】
2008198246.tif 000005
【図４】
2008198246.tif 000006
【図５】
2008198246.tif 000007
【図６】
2008198246.tif 000008
【図７】
2008198246.tif 000009